(57)【要約】      （修正有）【課題】構造物のコンクリート部分に作用する押抜き剪断力による損傷を防ぎ、アンカーの埋設角度に応じて構造物を製造する面倒な施工を省く。【解決手段】プレキャストコンクリート製の構造物本体１に、地表側から地山接地面側にかけて徐々に内径が大きくなる鋼製或いは鋳鉄製のコーン２を埋設し、このコーン２の孔をアンカー孔６とする。地山に埋設したアンカー６をアンカー孔６に通し、アンカーヘッドに定着する。プレストレス力を与えても、押抜き剪断力は強度の大きなコーン２に作用し、コンクリート部分は損傷しない。コーン２のアンカー孔６の地山側は、その内径が大きくなっており、アンカーの埋設方向が地表面に対して垂直でなくとも、その角度のズレを吸収できる。【選択図】図１
2006118204.tif 000002
【特許請求の範囲】
【請求項１】
プレキャストコンクリート製の構造物本体内に、鋼製若しくは鋳鉄製であって、天端側から地山側に向って徐々に内径が大きくなるようにした円筒形コーンを埋設し、前記円筒コーンの天端側から地山側に貫通したアンカー孔に、地山に埋設したアンカーを地山側から通し、構造物本体の地表側にて定着可能にしてなる斜面安定構造物。
【請求項２】
円筒形コーンの天端側には、アンカーヘッドを載せる支圧部を鍔状に周方向へ張出してなる請求項１記載の斜面安定構造物。
【請求項３】
円筒形コーンの地山側端には、地山と接する張出し部を鍔状に周方向へ張出してなる請求項１又は２記載の斜面安定構造物。
【発明の詳細な説明】
【技術分野】
【０００１】
この発明は、斜面の土砂荷重を受けて、斜面の安定化を図る斜面安定構造物に関するものであり、特にプレキャストコンクリート製で、地山に埋設したプレストレストアンカーによって斜面に固定する斜面安定構造物に関するものである。
【背景技術】
【０００２】
十文字形や方形、円形など様々な形状をしたプレキャストコンクリート製の斜面安定構造物が開発されている。これら斜面安定構造物にはアンカー孔が地表側から地山側に向けて貫通しており、地山に埋設したグラウンドアンカーなどのアンカーをこの孔に通し、このアンカーを緊張してプレストレスを与えて定着する。地山が崩壊しようとするときの土砂荷重を、予め与えたプレストレス力によって押さえ、斜面の崩壊を防ぐものである。
【０００３】
このようなプレストレス力を与える斜面安定構造物の場合、プレストレス力を与えたときに、構造物に対し押抜き剪断力が作用することになる。図６において、構造物ａに対して、アンカーｂに与えたプレストレス力ｐ１が、押抜き剪断力ｐ２となってコンクリート部分に作用している。この押抜き剪断力ｐ２とは、支圧板から４５度の広がり角度で下に広がる部材を押抜く力で、部材を一気に破壊してしまう力を持っている。特に十文字形の斜面安定構造物の場合は、アンカーｂを定着する中心部の交差部分の面積が小さく、この４５度の角度で下に向って作用する押抜き剪断力に抵抗するコンクリート部分として、ぎりぎりの設計値しか確保出来ていないという問題がある。
【０００４】
斜面安定構造物にプレストレス力を与えて地山に固定する場合、アンカーは地山側から地表側へ貫通させ、構造物の上でアンカーヘッドなどに定着する。したがってアンカーの定着部分（頭部）は、構造物の上に突き出ることになる。しかしながら、このアンカーの頭部が構造物表面よりも大きく突出すると、損傷の危険が生じる。例えば道路際に斜面安定構造物を設置するような場合、このアンカー頭部が大きく道路側に張出ていると、通行する車がこのアンカー頭部に接触してオイルキャップなどを損傷させることがあるからである。そこで、斜面安定構造物の中には、アンカーを定着する部分を他の部分よりも窪ませ、そこにアンカー頭部を収めて大きく突き出ないようにするなどの工夫が採用されている。しかしながら、このようにアンカー定着部分を窪ませれば、その下のコンクリート部分の厚みがより薄くなってしまい、押抜き剪断耐力の点でより不利になるという問題が生じる。
【０００５】
特許第３１６７５７６号では、斜面安定構造物のアンカー定着部分の窪みに鋼製の箱形の補強部材を敷設し、プレストレス力による押抜き剪断力が広く分散するようにして、プレキャストコンクリートの破壊を防ごうとしている。しかしながら、力が分散されてもやはり押抜き剪断力がコンクリートに作用していることは変らず、損傷の可能性が充分あった。
【０００６】
斜面の土砂荷重を構造物が効率的に受け止めるには、構造物の地山接地面が土砂荷重に対し、直角であることが理想であり、従ってアンカーの埋設方向は、地表面に対して垂直であることが望ましい。しかしながら地形の関係で、アンカーを地表面に対して垂直に埋設できないことがある。このような場合、図７に示すように、斜面安定構造物ａに貫通するアンカー孔ｃは地山接地面に対して直角ではなく、角度をつける必要がある。この様々な角度のズレに対応できるよう、アンカー孔ｃを地山接地面側に行くにつれて内径が大きくなるよう形成することも考えられるが、このようにするとアンカーヘッド下のコンクリート部分の強度が一段と小さくなってしまう。またアンカーを定着する部分の表面に勾配をつけて、アンカーヘッドｄを置く面をアンカーｂに対して直角にしなければならず、製造するたびに、この部分の型枠を変えて構造物を製造する必要があった。このような斜面安定構造物は、規格とは外れた特殊タイプとなるため、その分価格が高くなって施工コストを引き上げていた。
【特許文献１】特許第３１６７５７６号
【特許文献２】特開平８−２８４４１７号公報
【発明の開示】
【発明が解決しようとする課題】
【０００７】
この発明が解決しようとする課題は、アンカーにプレストレス力を与えとき、構造物のコンクリート部分に押抜き剪断力として作用してコンクリートが損傷することであり、また、現場の施工状況に合わせて型枠などを変えて構造物を製造しなければならないことである。
【課題を解決するための手段】
【０００８】
この発明は、構造物の中に鋼製若しくは鋳鉄製であって、地表側から地山接地面側に向って徐々に内径が大きくなるようにした円筒形コーンを埋設することによって、押抜き剪断耐力を向上させるとともに、様々な傾斜角度のアンカーに対応可能とするものである。
【発明の効果】
【０００９】
この発明にかかる斜面安定構造物は、プレキャストコンクリート製の本体内に、鋼製や鋳鉄製の円筒形コーンを埋設し、そのコーンにアンカーを通すため、プレストレス力は強度の大きなコーンによって受けるこことなり、コンクリート部分には押抜き剪断力が全く作用せず、コンクリート部分が損傷することがない。
【００１０】
円筒形コーンは、地表側から地山接地面側に向けて徐々に内径が大きくなるよう形成されているため、地山面とアンカーが直角でなくて若干角度が違っても、アンカー孔に通すことができる。またアンカー孔の内径が大きくなっても、コンクリート部分の強度は一切問題にならない。更に、アンカーヘッドの定着面には厚みが偏った部材を噛ませれば、その上にアンカーヘッドを設置してアンカーの角度傾斜に対応してアンカーを定着でき、現場状況に合わせて型枠を変えて構造物を製造するなどの手間が要らない。
【００１１】
円筒形コーンの地表側端に支圧部を鍔状に張出すことにより、プレストレス力を確実にコーンに伝達できるとともに、従来アンカーヘッドの下に置いていた支圧板の使用を省略できる。コーンの地山側端に張出し部を鍔状に張出すことによって、プレストレス力を分散して地山に伝達することができる。
【発明を実施するための最良の形態】
【００１２】
この発明にかかる斜面安定構造物の本体は、プレキャストコンクリート製である。本体のその形状は様々であって、全体が十文字にクロスしているような形、底面が四角形や八角形などの多角形で、中心が高くなっている角錐形状、或いは底面が円形の円錐形状など、様々な形状が採用できる。
【００１３】
これら本体には、アンカーを通すためのアンカー孔が貫通している。この発明では、このアンカー孔を形成するために、鋼製や鋳鉄製の円筒形コーンを採用し、これをプレキャストコンクリートに埋め込んで、そのコーンの孔をアンカー孔とするものである。鋼製のコーンには、亜鉛アルミ合金メッキによって表面を防錆処理することも考えられる。円筒形コーンは、一方側端から他方側端にかけて、その内径が徐々に大きくなるよう、外形が円錐形状となっている。そして、その内径の小さな方を本体の天端側面へ、内径の大きな方の端部が本体の地山接地面に表出するようにする。
【００１４】
円筒形コーンの地表面側端の周囲には、周方向へ鍔状に張出すよう支圧部を形成することも可能である。また、コーンの地山接地面側端の周囲にも、周方向へ鍔状に張出す張出し部を形成することが可能である。
【００１５】
以上のような斜面安定構造物を地山に設置する場合、地山に埋設したグラウンドアンカーやロックボルトなどのアンカーを、コーンの孔であるアンカー孔に通す。このアンカーにプレストレス力を与えて、本体の地表面側でアンカーヘッドやナットによって定着する。プレストレ力によって作用する押抜き剪断力は、強度の大きなコーンによって負担するため、押抜き剪断耐力は著しく大きく、コンクリート部分にはこの押抜き剪断力が作用しない。地形の状況で、アンカーの埋設角度が地山面に対して直角でなくとも、コーンの地山側内径が大きくなっており、その角度のズレを吸収してアンカー孔に通すことができる。コーンの上に角度を調整できる厚みを偏らせた部材を入れれば、アンカーヘッドやナットの圧着面がアンカーに対して垂直になるよう調整して配置できる。
【実施例１】
【００１６】
図において図１〜図３は、この発明にかかる斜面安定構造物の第一実施例を示すものである。プレキャストコンクリート製の構造物本体１は、全体に十文字形状を成しており、その中心の交差部分に、鋼製の円筒形コーン２が埋設されている。円筒形コーン２は、本体１の地表側から地山側に渡されており、その地表側から地山側にかけて、その内径が徐々に大きくなっている。コーン２の地表側端は、本体の中心に形成された凹部３に表出しており、その端部周囲には鍔状に支圧部４が張出している。コーン２の地山側端周囲にも鍔状に張出し部５が張出している。コーン２によって地山側から地表側へ貫通した孔がアンカー孔６となる。
【００１７】
以上のような斜面安定構造物を地山上に設置し、地山に埋設したグラウンドアンカー７をコーン２のアンカー孔６に通す。アンカー孔６から突き出したアンカー７の引張材８をジャッキにて掴み、これを緊張してプレストレス力を与え、支圧部４上に載せたアンカーヘッド９にクサビによって定着する。その上にオイルを充満したオイルキャップ１０を被せる。
【実施例２】
【００１８】
図４に示すのは、現場の施工状況によってアンカー７を地表面に対して垂直に埋設できなかった場合のアンカー７を定着した例を示すものである。アンカー７の埋設方向が、構造物本体１の地山接地面に対して垂直でない場合でも、コーン２のアンカー孔６の地山側の内径が大きくなっており、角度のズレを吸収できる。コーンの２の地表側から突き出した部分には、厚みが偏った角度調整可能な支圧板１１を噛ませ、その上にアンカーヘッド９を載せて、アンカーヘッド９の圧着面をアンカー７に対して垂直にすることが可能となる。
【実施例３】
【００１９】
図５に示すのは、コーン２の地山側端に張出し部が形成されていない例である。
【図面の簡単な説明】
【００２０】
【図１】この発明にかかる斜面安定構造物の一実施例の斜視図である。
【図２】図１に示す斜面安定構造物を地山に設置した場合の断面図である。
【図３】図２に示す実施例の一部拡大断面図である。
【図４】地表面に対して角度が垂直となっていないアンカーを定着した断面図である。
【図５】他の実施例の斜視図である。
【図６】従来の斜面安定構造物の断面図である。
【図７】従来の斜面安定構造物の断面図である。
【符号の説明】
【００２１】
１  構造物本体
２  コーン
３  凹部
４  支圧部
５  張出し部
６  アンカー孔
７  アンカー
８  引張材
９  アンカーヘッド
１０  オイルキャップ
１１  支圧板
【図１】
2006118204.tif 000003
【図２】
2006118204.tif 000004
【図３】
2006118204.tif 000005
【図４】
2006118204.tif 000006
【図５】
2006118204.tif 000007
【図６】
2006118204.tif 000008
【図７】
2006118204.tif 000009